(57)【要約】【課題】  建物の開口部と壁材との内に固定的に形成されている額縁等の使用時に生ずる汚れやキズを修正して美観のある化粧修正を行う簡便，安価で施工性のよい額縁等化粧材を提供する。【解決手段】  額縁等化粧材１００はカバー部材１からなり、額縁等４側に貼着される接着性部材２とこれを覆うシート部材３とからなる略コ字形状の成形部材からなる。シート部材３の表面には色彩や模様が施される。額縁等４の修正時には額縁等４に額縁等化粧材１００を被せて貼着すればよく、これにより汚れやキズはそのままの状態で被覆され、シート部材により外観美の向上が図られる。【選択図】  図２
0003129105.tif 000002
【実用新案登録請求の範囲】
【請求項１】
建物の窓や出入口等の開口部の縁側と建物の内壁との間に設けられ室内側にやや突出して配設される横断面矩形状の額縁や枠体等（以下、額縁等という）の露出表面を化粧するための額縁等化粧材であって、該化粧材は、前記額縁等の露出表面を覆う横断面略コ字形状のカバー部材からなり、該カバー部材は、前記露出表面側に当接する接着性部材と該接着性部材を覆って貼着されるシート部材とからなることを特徴とする額縁等化粧材。
【請求項２】
前記接着性部材が、ＡＢＳ樹脂材からなり、シート部材が、木材，紙，布，樹脂材等の貼着可能なシート材からなることを特徴とする請求項１に記載の額縁等化粧材。
【請求項３】
前記シート部材は、その表面側に任意の模様，色彩を施したものからなることを特徴とする請求項１又は２に記載の額縁等化粧材。
【請求項４】
前記接着性部材の内面側には複数本のスリットが作成されることを特徴とする請求項１乃至３のいずれかに記載の額縁等化粧材。
【考案の詳細な説明】
【技術分野】
【０００１】
本考案は、建物の開口部の縁側に設けられる額縁等の老化時や汚れ時においてその外表面（露出表面）を簡便、かつ安価に化粧修正する額縁等化粧材に関する。
【背景技術】
【０００２】
図５乃至図７に建物の開口部の縁側の概要構造の一例を示す。図５に示すように、窓等のガラス板６は、上下左右に配置されるサッシュ材７によりガイドされて開閉するように形成され、そのサッシュ材７にはその側面側に当接して額縁等４が配置される。即ち、図６や図７に示すように窓等のガラス側と建物の壁材８側との間にはサッシュ材７に奥面を当接して室内側にやや突出する額縁等４が設けられている。
【０００３】
この額縁等４は通常は木材からなり、開口部の外観を損わないように一般に塗装仕上げされているものからなる。しかしながら、建物の長期間の使用により、図８に示すように額縁等４の露出表面には汚れやキズ等が生じ、開口部や室内の外観を損わしめる問題点が生ずる。そのために、額縁等４を化粧修正することが必要となる。この額縁等の化粧方法については適当な公知文献が見当らないが、例えば「特許文献１」の如きものが挙げられる。
【特許文献１】特開２００３−１２７６００号（図１）
【考案の開示】
【考案が解決しようとする課題】
【０００４】
［特許文献１］の「特開２００３−１２７６００号」の「額縁フレームの化粧方法」は額縁のフレームとなるアルミ形材の表面に透明又は半透明の樹脂シートを貼着するものであるが、この化粧シートは本考案とは異なり、新品として使用するものであり、汚れ修正用の化粧材ではなく、その全体構造も相違するものである。
【０００５】
本考案の「額縁用化粧材」が適用される額縁等は、図６や図７に示すように建物の開口部等に既に固着して形成されているものであり、任意の形状の化粧修正材を適用することは難しい。そのため、従来技術では、額縁等に付着している汚れを取り除いたり、キズの部分にパテを塗着してこれをヘラ仕上げし、その後にシート材を露出表面に貼着する手段が一般に採用されていた。
【０００６】
しかしながら、以上のような従来の化粧修正手段では、修正時間がかかり、コスト高のものとなると共に、貼着されたシート面に凹凸が生じ、外観美を損う問題点があった。また、張り直しも困難であった。
【０００７】
本考案は、以上の事情に鑑みて考案されたものであり、化粧修正が容易に、かつ安価にでき、外観美に優れ任意の化粧を施すことのできる額縁等化粧材を提供することを目的とする。
【課題を解決するための手段】
【０００８】
本考案は、以上の目的を達成するために、請求項１の考案は、建物の窓や出入口等の開口部の縁側と建物の内壁との間に設けられ室内側にやや突出して配設される横断面矩形状の額縁や枠体等（以下、額縁等という）の露出表面を化粧するための額縁等化粧材であって、該化粧材は、前記額縁等の露出表面を覆う横断面略コ字形状のカバー部材からなり、該カバー部材は、前記露出表面側に当接する接着性部材と該接着性部材を覆って貼着されるシート部材とからなることを特徴とする。
【０００９】
また、請求項２の考案は、前記接着性部材が、ＡＢＳ樹脂材からなり、シート部材が、木材，紙，布，樹脂材等の貼着可能なシート材からなることを特徴とする。
【００１０】
また、請求項３の考案は、前記シート部材は、その表面側に任意の模様，色彩を施したものからなることを特徴とする。
【００１１】
また、請求項４の考案は、前記接着性部材の内面側には複数本のスリットが作成されることを特徴とする。
【考案の効果】
【００１２】
本考案の請求項１の額縁等化粧材によれば、額縁用化粧材は、そのままの状態で額縁等に嵌め込み貼着される形状のものからなり、作業は極めて容易であり、かつ一定の形状に予め形成されているため安価に実施することができる。また、額縁用化粧材は額縁等側に接着可能な接着性部材と表面のシート部材とからなり、額縁側えの貼着が容易に、かつ綺麗にでき、外観美を損うような凹凸の発生はない。また、接着性部材はシート部材により覆われるため、接着性部材の露出はなく、美観の向上が図られる。
【００１３】
また、本考案の請求項２の額縁等化粧材によれば、シート部材は任意の材料のシート材が適用され、その自由度が高い。
【００１４】
また、本考案の請求項３の額縁等化粧材によれば、シート部材の表面には任意の模様や色彩が施され、外観美の一層の向上が図られる。
【００１５】
また、本考案の請求項４の額縁等化粧材によれば、スリットを形成することにより、貼着性の容易化及び確実化が図られ、美観の向上が図られる。
【考案を実施するための最良の形態】
【００１６】
以下、本考案の額縁等化粧材の実施の形態を図面を参照して詳説する。
図１（ａ）は本考案の額縁等化粧材１００の側面図を示し、図１（ｂ）は図１（ａ）のＡ−Ａ線断面図を示す。また、図２は額縁等化粧材１００の斜視図である。
【実施例１】
【００１７】
図示のように額縁等化粧材１００は横断面略コ字形状のカバー部材１からなる。なお、このコ字形状は一方側が短く、他方側が長く鈎状に折り曲がったコ字形状のものからなる。この形状は図６や図７に示されている額縁等４の露出表面をすべて覆う形状からなる。
【００１８】
額縁等化粧材１００は前記の形状のカバー部材からなるが、その詳細構造としては２重のカバー部材１からなり、その１つは内側の接着性部材２であり、他の１つはシート部材３である。なお、シート部材３は接着性部材２の外面をすべて覆う形状のものからなる。
【００１９】
接着性部材２は、額縁等４の露出表面に当接してこれを被覆する形状の部材からなり、額縁等４に接着し得る機能を有するものであればよく、場合により、接着材を塗着したものでもよい。その材質としては以上のように任意のものでよいが、軟質の機能で強度のあるものが望ましく、一例としてＡＢＳ樹脂が挙げられるが勿論、これに限定するものではない。
【００２０】
一方、シート部材３は接着性部材２の全外面を覆うシート状の部材からなり、化粧シートとして機能するものである。その材質は有害性のものを除く任意のものでよく、木材，紙，布，樹脂等のシート材が挙げられるが、勿論これに限定するものではない。
なお、前記の接着性部材２やシート部材３は平坦のものを後に折り曲げて形成されるものでなく、当接する所望形状に予め折り曲げ成形されるものからなり、これにより取り付け作業性の向上が図られる。
【００２１】
シート部材３はその表面が単色のものでもよいが、室内美観の向上のため着色や任意の模様が付加されるものが採用される。勿論、色彩や模様等は印刷等により予め形成されるものが採用される。
【００２２】
図３は、以上の形状の額縁等化粧材１００を既設の額縁等４に装着した状態を示す。額縁等化粧材１００は前記のように一体形状のカバー部材１からなり、これを単に額縁等４に被包されればよく、その作業は極めて容易で、短時間にできる。また、シート部材３の表面に凹凸等は発生せず、外観美を損うことはない。また、その取り外しも従来のものに較べて容易にできる。
【実施例２】
【００２３】
実施例２の額縁等化粧材１００Ａは全体形状としては実施例１の額縁等化粧材１００と近似するものであるが、接着性部材２Ａが異なる。即ち、この接着性部材２Ａにはスリット５が複数本形成されている。このスリット５を設けることにより接着性部材２Ａの額縁等４側への貼着がより確実に、かつ円滑に行われ、一層の美観の向上が図られる。
【００２４】
以上により、本考案の額縁等化粧材１００，１００Ａを説明したが、額縁等化粧材については以上の実施例のものに限定するものではなく、同一技術的範疇のものが用いられることは勿論である。
【産業上の利用可能性】
【００２５】
本考案の額縁等化粧材は前記のように建物の開口部の縁側に形成されている額縁等に適用されるものであるが、適用対象としては勿論額縁等に限定するものでなく、化粧修正を必要とするすべてのものに適用可能であり、その利用範囲は広い。
【図面の簡単な説明】
【００２６】
【図１】本考案の額縁等化粧材の側面図（ａ）及びそのＡ−Ａ線断面図（ｂ）。
【図２】本考案の額縁等化粧材の全体構造を示す斜視図。
【図３】本考案の額縁等化粧材を額縁等に装着した状態を示す部分断面図。
【図４】本考案の額縁等化粧材の他の実施例を示す断面図。
【図５】建物における窓まわりの概要構造を示す正面図。
【図６】額縁等のまわりの建物の構造を示す斜視図。
【図７】図６のＢ−Ｂ線断面図。
【図８】使用されている額縁等の汚れ状態を示す模式的斜視図。
【符号の説明】
【００２７】
１        カバー部材
２        接着性部材
２Ａ      接着性部材
３        シート部材
４        額縁等
５        スリット
６        窓
７        サッシュ
８        壁材
１００    額縁等化粧材
１００Ａ  額縁等化粧材
【図１】
0003129105.tif 000003
【図２】
0003129105.tif 000004
【図３】
0003129105.tif 000005
【図４】
0003129105.tif 000006
【図５】
0003129105.tif 000007
【図６】
0003129105.tif 000008
【図７】
0003129105.tif 000009
【図８】
0003129105.tif 000010